(57)【要約】      （修正有）【課題】使用者の血液循環を加速させるフレキシブルＬＥＤ貼付シートを提供する。【解決手段】外部の駆動電源に接続される電源コネクタ１１０と、第１表面１２２及び前記第１表面１２２の反対側にある第２表面を有し、前記電源コネクタ１１０に電気的接続されるフレキシブル回路基板１２０と、少なくとも一のＬＥＤ１３０と、筐体１４０と、フレキシブルキット１５０とを含むフレキシブルＬＥＤ貼付シート１００に関する。前記少なくとも一のＬＥＤ１３０は、前記フレキシブル回路基板１２０の第１表面１２２上に設けられ、４５０ｎｍ〜１５００ｎｍの波長を有する光を放射するよう、前記フレキシブル回路基板１２０に制御される。前記筐体１４０は、前記少なくとも一のＬＥＤ１３０を囲むよう、前記フレキシブル回路基板１２０の第１表面１２２上に設けられる。前記フレキシブルキット１５０は、前記フレキシブル回路基板１２０、前記筐体１４０及び前記少なくとも一のＬＥＤ１３０を完全に覆う。【選択図】図１
0003198715.tif 000002
【実用新案登録請求の範囲】
【請求項１】
外部の駆動電源に接続される電源コネクタと、
第１表面及び前記第１表面の反対側にある第２表面を有し、前記電源コネクタに電気的接続されるフレキシブル回路基板と、
前記フレキシブル回路基板の第１表面上に設けられ、４５０ｎｍ〜１５００ｎｍの波長を有する光を放射するよう、前記フレキシブル回路基板に制御される少なくとも一のＬＥＤと、
前記少なくとも一のＬＥＤを囲むよう、前記フレキシブル回路基板の第１表面上に設けられる筐体と、
前記少なくとも一のＬＥＤの放射した光は透過できるよう、前記フレキシブル回路基板、前記筐体及び前記少なくとも一のＬＥＤを完全に覆うフレキシブルキットと、
を含むことを特徴とするフレキシブルＬＥＤ貼付シート。
【請求項２】
外部の駆動電源に接続される電源コネクタと、
第１表面及び前記第１表面の反対側にある第２表面を有し、前記電源コネクタに電気的接続されるフレキシブル回路基板と、
前記フレキシブル回路基板の第１表面上に設けられ、４５０ｎｍ〜１５００ｎｍの波長を有する光を放射するよう、前記フレキシブル回路基板に制御される少なくとも一のＬＥＤと、
前記フレキシブル回路基板及び前記少なくとも一のＬＥＤを完全に覆い、筐体がその上に形成されており、前記筐体は前記少なくとも一のＬＥＤを囲むよう前記フレキシブル回路基板の第１表面上に設けられ、前記少なくとも一のＬＥＤの放射した光は透過できる、フレキシブルキットと、
を含むことを特徴とするフレキシブルＬＥＤ貼付シート。
【請求項３】
前記フレキシブル回路基板が、前記第１表面及び前記第２表面を貫通する少なくとも一の通気孔を有する、ことを特徴とする請求項１又は２に記載のフレキシブルＬＥＤ貼付シート。
【請求項４】
前記筐体が少なくとも一の切込部を有する、ことを特徴とする請求項１又は２に記載のフレキシブルＬＥＤ貼付シート。
【請求項５】
前記フレキシブル回路基板を囲むように設けられる少なくとも一のフィットシートを更に含む、ことを特徴とする請求項１又は２に記載のフレキシブルＬＥＤ貼付シート。
【請求項６】
前記少なくとも一のフィットシートの材料は粘着性を有するシリカゲルである、ことを特徴とする請求項５に記載のフレキシブルＬＥＤ貼付シート。
【請求項７】
前記フレキシブルキットの材料は光学グレード・シリカゲル、医療グレード・シリカゲル又はシリカゲル混合物である、ことを特徴とする請求項１又は２に記載のフレキシブルＬＥＤ貼付シート。
【請求項８】
前記フレキシブルＬＥＤ貼付シートの総厚みが２ｍｍより小さい、ことを特徴とする請求項１又は２に記載のフレキシブルＬＥＤ貼付シート。
【請求項９】
前記電源コネクタはＵＳＢコネクタである、ことを特徴とする請求項１又は２に記載のフレキシブルＬＥＤ貼付シート。
【請求項１０】
前記フレキシブル回路基板に電気的接続し、前記フレキシブル回路基板の温度を測定する温度測定素子を更に含む、ことを特徴とする請求項１又は２に記載のフレキシブルＬＥＤ貼付シート。
【請求項１１】
前記電源コネクタを固定するための固定片を更に含む、ことを特徴とする請求項１又は２に記載のフレキシブルＬＥＤ貼付シート。
【考案の詳細な説明】
【技術分野】
【０００１】
本考案は、フレキシブルＬＥＤ貼付シートに関し、特に使用者の血液循環を加速させるフレキシブルＬＥＤ貼付シートに関する。
【背景技術】
【０００２】
現代の人は、仕事が忙しいことと日常生活のストレスにより、筋肉が凝ったり血液循環が悪くなったりすることが多い。これらの問題を改善するため、現代の人は経絡マッサージ、灸療法、マッサージ器又は湿布薬などの方法や物品に頼り、筋肉のこりを緩和し血液循環を改善する。
【０００３】
以下、灸療法について説明する。灸療法は漢方医学における外治法に属し、もぐさを燃やして温灸箱や温灸缶に入れ、その温灸箱や温灸缶を経絡や患部周囲に置くことにより、こりを治療したり血液循環を改善したりすることができる。しかし、目下本当の古いもぐさを入手することは容易ではなく、また、温灸を施す時、煙や灰によるやけど等の問題があり、使用上不便である。故に、電熱式温灸器又は赤外線式温灸器などが次第に開発され、従来の灸療法を取り替えつつある。
【０００４】
従来の温灸器はほとんど電熱線を熱源として使い、このような電熱式温灸器はやけどを起こさないように温度制御手段が必要である。更に、電熱線の外側にあるもの、例えば布やマジックテープ等はいずれも遠赤外線を隔てるため、遠赤外線で治療を行うことが難しくなる。もう１種類の遠赤外線治療ランプでは、その熱源がかなり強いため、適切に使用しなければ、ひどいやけどが発生する恐れがある。従って、従来の温灸器はいずれも便利に使うことが難い。
【考案の概要】
【考案が解決しようとする課題】
【０００５】
本考案は、フレキシブルＬＥＤ貼付シートを提供し、使用者の血液循環を加速させる効果が達成できる。
【課題を解決するための手段】
【０００６】
本考案は、外部の駆動電源に接続される電源コネクタと、第１表面及び前記第１表面の反対側にある第２表面を有し、前記電源コネクタに電気的接続されるフレキシブル回路基板と、前記フレキシブル回路基板の第１表面上に設けられ、４５０ｎｍ〜１５００ｎｍの波長を有する光を放射するよう、前記フレキシブル回路基板に制御される少なくとも一のＬＥＤと、前記少なくとも一のＬＥＤを囲むよう、前記フレキシブル回路基板の第１表面上に設けられる筐体と、前記少なくとも一のＬＥＤの放射した光は透過できるよう、前記フレキシブル回路基板、前記筐体及び前記少なくとも一のＬＥＤを完全に覆うフレキシブルキットと、を含むフレキシブルＬＥＤ貼付シートに提供する。
【０００７】
更に、本考案は、外部の駆動電源に接続される電源コネクタと、第１表面及び前記第１表面の反対側にある第２表面を有し、前記電源コネクタに電気的接続されるフレキシブル回路基板と、前記フレキシブル回路基板の第１表面上に設けられ、４５０ｎｍ〜１５００ｎｍの波長を有する光を放射するよう、前記フレキシブル回路基板に制御される少なくとも一のＬＥＤと、前記フレキシブル回路基板及び前記少なくとも一のＬＥＤを完全に覆い、筐体がその上に形成されており、前記筐体は前記少なくとも一のＬＥＤを囲むよう前記フレキシブル回路基板の第１表面上に設けられ、前記少なくとも一のＬＥＤの放射した光は透過できる、フレキシブルキットと、を含むもう１種類のフレキシブルＬＥＤ貼付シートに提供する。
【本考案の効果】
【０００８】
以上により、本考案に係るフレキシブルＬＥＤ貼付シートは、外部の駆動電源によりフレキシブル回路基板中のＬＥＤに電力が提供され、そのＬＥＤがよって波長４５０ｎｍ〜１５００ｎｍの光を放射し、その放射した光がフレキシブルキットを透過して使用者皮膚に届く。
【０００９】
本考案のその他の実施形態及びメリットは、添付の図面を参考して好適な実施例を詳細に説明することにより理解できる。なお、本考案の要旨を容易に把握するため、従来の部材及び原理は本明細書において特に説明しない。
【図面の簡単な説明】
【００１０】
【図１】本考案の第１実施例に係るフレキシブルＬＥＤ貼付シートの概略図である。
【図２】本考案の第１実施例に係るフレキシブルＬＥＤ貼付シートの概略図である。
【図３】本考案の第１実施例に係るフレキシブルＬＥＤ貼付シートのＡ‐Ａ’における断面図である。
【図４Ａ】本考案の第２実施例に係るフレキシブルＬＥＤ貼付シートの概略図である。
【図４Ｂ】本考案の第３実施例に係るフレキシブルＬＥＤ貼付シートの概略図である。
【図５】本考案の第４実施例に係るフレキシブルＬＥＤ貼付シートの概略図である。
【考案を実施するための形態】
【実施例１】
【００１１】
図１は、本考案の第１実施例に係るフレキシブルＬＥＤ貼付シートの概略図である。図１を参照すると、フレキシブルＬＥＤ貼付シート１００は、電源コネクタ１１０と、フレキシブル回路基板１２０と、少なくとも一のＬＥＤ１３０と、筐体１４０と、フレキシブルキット１５０とを含む。
【００１２】
本考案の実施例において、電源コネクタ１１０は、外部駆動電源に接続される（図示せず）。外部駆動電源は、例えばモバイル電源又は家庭用交流電源である。電源コネクタ１１０は、例えば、ＵＳＢコネクタ（Universal Serial Bus Connector）であるが、これに制限されない。外部駆動電源がモバイル電源である場合、コネクタケーブル（図示せず）によりＵＳＢに接続し、コネクタケーブルを介してフレキシブルＬＥＤ貼付シート１００に電力を提供する。一方、外部の駆動電源が家庭用交流電源である場合、同様にコネクタケーブルを介してＵＳＢ及びプラグ（図示せず）に接続され、コンセントにプラグを接続して家庭用交流電源の電力をフレキシブルＬＥＤ貼付シート１００に提供する。特に説明すべきことは、本実施例のフレキシブルＬＥＤ貼付シートは、電源コネクタ１１０をこのＬＥＤ貼付シートから容易に外れないよう、電源コネクタ１１０を固定するための固定片１６０を含む。
【００１３】
図２は、本考案の第１実施例に係るフレキシブルＬＥＤ貼付シートの概略図であり、図３は、本考案の第１実施例に係るフレキシブルＬＥＤ貼付シートのＡ−Ａ’における断面図である。図１〜図３を参照すると、フレキシブル回路基板１２０は、第１表面１２２及びその反対側にある第２表面１２４を有し、ＬＥＤ１３０はフレキシブル回路基板１２０の第１表面１２２上に設けられる。この他、筐体１４０はＬＥＤ１３０を囲むよう、前記フレキシブル回路基板１２０の第１表面１２２上に設けられる。そして、フレキシブルキット１５０は、フレキシブル回路基板１２０、筐体１４０及びＬＥＤ１３０を完全に覆うことができる。特に、本実施例に係るフレキシブルＬＥＤ貼付シート１００の総厚みＴは２ｍｍより小さいので、携帯が便利である。その他、特に説明すべきことは、フレキシブルキット１５０の材料は、一般のシリカゲル、光学グレード・シリカゲル、医療グレード・シリカゲル又はシリカゲル混合物であるが、これに制限されない。
【００１４】
更に、フレキシブル回路基板１２０は電源コネクタ１１０に接続され、電力は電源コネクタ１１０を介してフレキシブル回路基板１２０に提供される。なお、ＬＥＤ１３０はフレキシブル回路基板１２０に制御されて４５０ｎｍ〜１５００ｎｍの波長の光を放射することができる。この光はフレキシブルキット１５０を透過することができる。特に説明すべきことは、この光は例えば青色光、黄色光又は近赤外線であるが、これに制限されない。
【００１５】
ここで、使用者が本考案の第１実施例に係るフレキシブルＬＥＤ貼付シートを使うとき、第１表面１２２を使用者皮膚に向け、ＬＥＤ１３０を覆うフレキシブルキット１５０を使用者皮膚に接触させる。この他、フレキシブル回路基板１２０がＬＥＤ１３０を制御して光を放射する。ＬＥＤ１３０の放射した光が例えば、近赤外線（波長が約７００ｎｍ〜１５００ｎｍの間）の場合、その熱透過力が強いため、皮膚を通過し皮膚下の血管まで届き、血管内の血液循環を加速させることができる。
【００１６】
本考案の第１実施例に係るフレキシブルＬＥＤ貼付シート１００において、フレキシブル回路基板１２０は、第１表面１２２及び第２表面１２４を貫通する少なくとも一の通気孔１２６を有し、筐体１４０は少なくとも一の切込部１４２を有し、前記通気孔１２６と切込部１４２は、フレキシブルＬＥＤ貼付シート１００と使用者皮膚との間の空気を流通させるために設置される。具体的に、使用者が本実施例に係るフレキシブルＬＥＤ貼付シート１００を使う場合、フレキシブルＬＥＤ貼付シート１００と使用者皮膚との間の隙間に、筐体１４０の切込部１４２から外部の冷たい空気を流入させるとともに、ＬＥＤ１３０の放射した光による熱をフレキシブル回路基板１２０の通気孔１２６から放出することができる。
【００１７】
このほか、本考案の第１実施例に係るフレキシブルＬＥＤ貼付シート１００は、温度測定素子１７０を更に含む。この温度測定素子１７０は、フレキシブル回路基板１２０と電気的接続され、フレキシブル回路基板１２０の温度を測定する。好ましくは、温度測定素子１７０はフレキシブル回路基板１２０の中央部に設けられ、使用者がフレキシブルＬＥＤ貼付シート１００を使う場合、あまり長時間使用すると、放熱効果が弱まる可能性があり、この時温度測定素子１７０はフレキシブル回路基板１２０の温度を測定する。温度測定素子１７０の測定した温度が所定温度を超えた場合、フレキシブル回路基板１２０を遮断し、光を放射しないようにフレキシブル回路基板１２０がＬＥＤ１３０を制御して、使用者のやけどを防ぐことができる。
【００１８】
図４Ａを参照する。図４Ａは、本考案の第２実施例に係るフレキシブルＬＥＤ貼付シートの概略図である。本考案の第２実施例に係るフレキシブルＬＥＤ貼付シートは、第１実施例と類似しており、相違点は第２実施例に係るフレキシブルＬＥＤ貼付シート１００ａは、少なくとも一のフィットシート１８０ａを含み、フィットシート１８０ａは、フレキシブル回路基板１２０を囲むように設けられる。詳細には、本実施例において、例えばフィットシート１８０ａは、フレキシブル回路基板１２０を囲むように貼付され、使用者が本考案に係るフレキシブルＬＥＤ貼付シート１００ａを使う場合、フレキシブル回路基板１２０を囲むフィットシート１８０ａを使用者皮膚に同時に貼付して、フレキシブルＬＥＤ貼付シート１００ａが使用者皮膚上において容易に移動しないようにする。本実施例に係るフレキシブルＬＥＤ貼付シート１００ａは平らな皮膚部位に貼付するのに適している。この他、特に、上記フィットシート１８０ａの材料は粘着性を有するシリカゲルであるが、これに制限されない。
【００１９】
図４Ｂを参照する。図４Ｂは、本考案の第３実施例に係るフレキシブルＬＥＤ貼付シートの概略図である。本考案の第３実施例に係るフレキシブルＬＥＤ貼付シート１００ｂは第２実施例に類似し、相違点は、第２実施例に係るフィットシート１８０ａは、フレキシブル回路基板１２０を囲むよう連続的に設置されている。一方、本実施例においては、連続しない複数のフィットシート１８０ｂがフレキシブル回路基板１２０を囲むように設置されている。同様に、使用者が本考案に係るフレキシブルＬＥＤ貼付シート１００ｂを使う場合もまた、フレキシブル回路基板１２０を囲む複数のフィットシート１８０ｂを使用者皮膚に同時に貼付する。本実施例に係るフレキシブルＬＥＤ貼付シート１００ｂは、例えば関節など湾曲部位の皮膚に貼付するのに適している。この他、特に、上記フィットシート１８０ｂの材料は粘着性を有するシリカゲルであるが、これに制限されない。
【００２０】
次に、図５を参照する。図５は第４実施例に係るフレキシブルＬＥＤ貼付シートの概略図である。本考案の第４実施例に係るフレキシブルＬＥＤ貼付シート２００は、第１実施例に係るフレキシブルＬＥＤ貼付シート１００に類似し、第４実施例に係るフレキシブルＬＥＤ貼付シート２００もまた電源コネクタ２１０と、フレキシブル回路基板２２０と、少なくとも一のＬＥＤ２３０と、フレキシブルキット２４０と、固定片２５０とを有する。第４実施例において、筐体２４２はフレキシブルキット２４０により形成される。フレキシブルキット２４０は、フレキシブル回路基板２２０及び少なくとも一のＬＥＤ２３０を完全に覆う場合、筐体２４２はＬＥＤ２３０を囲むよう、フレキシブル回路基板２２０の第１表面２２２上に設けられる。この他、筐体２４２もまた切込部２４２ａを有し、この切込部２４２ａの機能も第１実施例の切込部１４２と類似する。特に注意すべきことは、上記技術特徴のほか、その他の技術特徴（例えば、総厚み、電源コネクタの種類及び接続方法、ＬＥＤの光波長範囲、フレキシブルキットの材質など）はいずれも第１実施例と類似しているので、ここにおいて再び説明しない。この他、本考案の第２実施例及び第３実施例において言及したフィットシート１８０ａ、１８０ｂもまた本実施例に適応可能である。
【００２１】
以上より、本考案において、光波長が４５０ｎｍ〜１５００ｎｍの間のＬＥＤを使用し、この光はフレキシブルキットを透過でき、熱透過力が強いため、フレキシブルＬＥＤ貼付シートのＬＥＤの第１表面が使用者皮膚に接触したとき、その光が皮膚を透過して血管まで届き、血液循環を加速させる。この他、本考案に係るフレキシブルＬＥＤ貼付シートのフレキシブル回路基板上に通気孔が設けられ、且つ各実施例の筐体のいずれにも切込部を有するので、フレキシブルＬＥＤ貼付シートと使用者皮膚との隙間においての空気を流通させることができ、やけど防止の効果が達成できる。
【００２２】
本考案は、実施例及び図面を参照しながら詳細に説明した。しかし、当業者が本考案の本質及び範囲を逸脱しない限り、各種修正や変更することができるが、これら修正や変更はいずれも本考案が保護しようとする範囲内である。  
【符号の説明】
【００２３】
１００、１００ａ、１００ｂ：フレキシブルＬＥＤ貼付シート
１１０：電源コネクタ
１２０：フレキシブル回路基板
１２２：第１表面
１２４：第２表面
１２６：通気孔
１３０：ＬＥＤ
１４０：筐体
１４２：切込部
１５０：フレキシブルキット
１６０：固定片
１７０：温度測定素子
１８０ａ、１８０ｂ：フィットシート
２００：フレキシブルＬＥＤ貼付シート
２１０：電源コネクタ
２２０：フレキシブル回路基板
２２２：第１表面
２３０：ＬＥＤ
２４０：フレキシブルキット
２４２：筐体
２４２ａ：切込部
２５０：固定片
Ｔ：総厚み
Ａ−Ａ’：断面
【図１】
0003198715.tif 000003
【図２】
0003198715.tif 000004
【図３】
0003198715.tif 000005
【図４Ａ】
0003198715.tif 000006
【図４Ｂ】
0003198715.tif 000007
【図５】
0003198715.tif 000008